(57)【要約】【課題】読み取る原稿の所望のページについて、出力条件に基づいたプレビュー表示を開始するまでの時間が短い画像データ出力装置を提供する。【解決手段】ＭＦＰ１として構成された画像データ出力装置は、ＡＤＦ１３ａにより一枚ずつ搬送される原稿の画像を読み取る読取部１３と、該読み取った画像データを記憶する画像記憶部１５と、を備え、画像記憶部１５に記憶の画像データに、設定された出力条件に基づく画像処理を実行し、表示部にプレビュー表示する。ＭＦＰ１は、原稿の読み取り開始前に、プレビュー表示範囲を設定する設定部を備え、プレビュー表示範囲が設定された場合、原稿のうち当該範囲についてのみ、出力条件に基づく画像処理を実行し、当該設定された範囲のみプレビュー表示可能な部分プレビュー表示を行う。【選択図】図１
2010093661.tif 000002
【特許請求の範囲】
【請求項１】
自動原稿搬送部により一枚ずつ搬送される原稿の画像を読み取る読取部と、該読み取った画像データを記憶する画像記憶部と、を備え、該画像記憶部に記憶の画像データに、設定された出力条件に基づく画像処理を実行し、表示部にプレビュー表示する画像データ出力装置であって、
前記原稿の読み取り開始前に、プレビュー表示範囲を設定する設定部を備え、
該設定部により前記プレビュー表示範囲が設定された場合、前記原稿のうち当該範囲についてのみ、前記出力条件に基づく画像処理を実行し、当該設定された範囲のみプレビュー表示可能な部分プレビュー表示を行うことを特徴とする画像データ出力装置。
【請求項２】
前記設定部により前記プレビュー表示範囲が設定された場合、前記原稿のうち当該範囲についてのみ、前記読取部で画像を読み取って当該画像データを前記画像記憶部に記憶することを特徴とする請求項１に記載の画像データ出力装置。
【請求項３】
前記部分プレビュー表示開始後にユーザから出力指示を受けた場合には、前記原稿のうち前記設定された範囲の部分の画像を読み取った画像データを出力することを特徴とする請求項２に記載の画像データ出力装置。
【請求項４】
前記部分プレビュー表示開始後にユーザから出力指示を受けた場合には、前記原稿のうち前記設定された範囲以外の部分の画像を前記読取部で読み取り、このとき得られる画像データと、前記部分プレビュー表示の際に得られた画像データとを出力することにより、前記原稿の全体について出力することを特徴とする請求項２に記載の画像データ出力装置。
【請求項５】
前記原稿の全体について出力する際に、当該原稿の画像と同一の順序で並ぶよう出力することを特徴とする請求項４に記載の画像データ出力装置。
【請求項６】
前記部分プレビュー表示開始後にユーザから出力指示を受けた場合には、一旦読み取った原稿を前記自動原稿搬送部の原稿載置台に再度載置するようユーザに報知することを特徴とする請求項４または５に記載の画像データ出力装置。
【請求項７】
前記部分プレビュー表示開始後にユーザから追加読取指示を受けた場合には、一旦読み取った原稿を前記自動原稿搬送部の原稿載置台に再度載置するようユーザに報知することを特徴とする請求項２〜６のいずれか１項に記載の画像データ出力装置。
【請求項８】
前記設定部により前記プレビュー表示範囲が設定された場合、前記原稿の全体を前記読取部で画像を読み取って当該画像データを前記画像記憶部に記憶することを特徴とする請求項１に記載の画像データ出力装置。
【請求項９】
前記部分プレビュー表示開始後にユーザから出力指示を受けた場合には、前記原稿のうち前記設定された範囲の部分の画像データを出力することを特徴とする請求項８に記載の画像データ出力装置。
【請求項１０】
前記部分プレビュー表示開始後にユーザから出力指示を受けた場合には、前記原稿の全体の画像データを出力することを特徴とする請求項８に記載の画像データ出力装置。
【請求項１１】
前記部分プレビュー表示の際、プレビュー画像と共にプレビュー表示可能なページ番号を表示することを特徴とする請求項１〜１０のいずれか１項に記載の画像データ出力装置。
【請求項１２】
前記画像データの出力は、前記画像データの印刷、ファイリング、又は送信であることを特徴とする請求項１〜１１のいずれか１項に記載の画像データ出力装置。
【発明の詳細な説明】
【技術分野】
【０００１】
本発明は、原稿の画像を読み取った画像データを印刷等により出力する前に、その印刷出力状態等を表示手段に表示するプレビュー表示機能を備える画像データ出力装置に関し、特に、原稿の所望のページをプレビューできる画像データ出力装置に関する。
【０００２】
複合機等の画像データ出力装置として、原稿の画像を読取部で読み取った画像データについて、印刷や送信等により出力する前に、その出力条件に基づく出力状態を表示手段に表示する（プレビュー表示する）機能を備えるものが提案されている（例えば、特許文献１参照）。このプレビュー表示機能により、ユーザは、出力される画像を事前に確認できるようになっている。
【０００３】
従来の装置では、出力条件が設定されプレビュー表示が指示されると、例えば、原稿の１ページ目から画像の読み取りを開始し、読み取った画像データを画像記憶部に記憶する。全ての原稿についてこの読み取り処理を行った後、記憶した画像データの全てに対して、設定された出力条件に基づく画像処理を行い、当該処理終了後の画像データについてプレビュー表示を行う。しかし、この形態では、原稿が数十ページ以上のように大量の場合に、全ての原稿について、出力条件に基づく画像処理を行うのでプレビュー表示による確認までに時間がかかる。特に、原稿の所望のページをプレビュー表示する場合においても、全ページの画像データについて画像処理を行わなければならない。
【特許文献１】特開２００３−８７５６０号公報
【発明の開示】
【発明が解決しようとする課題】
【０００４】
本発明は、上述のような実状に鑑みてなされたものであり、読み取る原稿の所望のページについて、出力条件に基づいたプレビュー表示を開始するまでの時間が短い画像データ出力装置を提供することを、その目的とする。
【課題を解決するための手段】
【０００５】
上記の課題を解決するために、本発明の第１の技術手段は、自動原稿搬送部により一枚ずつ搬送される原稿の画像を読み取る読取部と、該読み取った画像データを記憶する画像記憶部と、を備え、該画像記憶部に記憶の画像データに、設定された出力条件に基づく画像処理を実行し、表示部にプレビュー表示する画像データ出力装置であって、前記原稿の読み取り開始前に、プレビュー表示範囲を設定する設定部を備え、該設定部により前記プレビュー表示範囲が設定された場合、前記原稿のうち当該範囲についてのみ、前記出力条件に基づく画像処理を実行し、当該設定された範囲のみプレビュー表示可能な部分プレビュー表示を行うことを特徴としたものである。
【０００６】
第２の技術手段は、第１の技術手段において、前記設定部により前記プレビュー表示範囲が設定された場合、前記原稿のうち当該範囲についてのみ、前記読取部で画像を読み取って当該画像データを前記画像記憶部に記憶することを特徴としたものである。
【０００７】
第３の技術手段は、第２の技術手段において、前記部分プレビュー表示開始後にユーザから出力指示を受けた場合には、前記原稿のうち前記設定された範囲の部分の画像を読み取った画像データを出力することを特徴としたものである。
【０００８】
第４の技術手段は、第２の技術手段において、前記部分プレビュー表示開始後にユーザから出力指示を受けた場合には、前記原稿のうち前記設定された範囲以外の部分の画像を前記読取部で読み取り、このとき得られる画像データと、前記部分プレビュー表示の際に得られた画像データとを出力することにより、前記原稿の全体について出力することを特徴としたものである。
【０００９】
第５の技術手段は、第４の技術手段において、前記原稿の全体について出力する際に、当該原稿の画像と同一の順序で並ぶよう出力することを特徴としたものである。
【００１０】
第６の技術手段は、第４または第５の技術手段において、前記部分プレビュー表示開始後にユーザから出力指示を受けた場合には、一旦読み取った原稿を前記自動原稿搬送部の原稿載置台に再度載置するようユーザに報知することを特徴としたものである。
【００１１】
第７の技術手段は、第２〜第６のいずれか１の技術手段において、前記部分プレビュー表示開始後にユーザから追加読取指示を受けた場合には、一旦読み取った原稿を前記自動原稿搬送部の原稿載置台に再度載置するようユーザに報知することを特徴としたものである。
【００１２】
第８の技術手段は、第１の技術手段において、前記設定部により前記プレビュー表示範囲が設定された場合、前記原稿の全体を前記読取部で画像を読み取って当該画像データを前記画像記憶部に記憶することを特徴としたものである。
【００１３】
第９の技術手段は、第８の技術手段において、前記部分プレビュー表示開始後にユーザから出力指示を受けた場合には、前記原稿のうち前記設定された範囲の部分の画像データを出力することを特徴としたものである。
【００１４】
第１０の技術手段は、第８の技術手段において、前記部分プレビュー表示開始後にユーザから出力指示を受けた場合には、前記原稿の全体の画像データを出力することを特徴としたものである。
【００１５】
第１１の技術手段は、第１〜第１０のいずれか１の技術手段において、前記部分プレビュー表示の際、プレビュー画像と共にプレビュー表示可能なページ番号を表示することを特徴としたものである。
【００１６】
第１２の技術手段は、第１〜第１１のいずれか１の技術手段において、前記画像データの出力は、前記画像データの印刷、ファイリング、又は送信であることを特徴としたものである。
【発明の効果】
【００１７】
本発明によれば、原稿のうちユーザによりプレビュー表示範囲として設定されたページについてのみ、出力条件に基づいた画像処理を実行しプレビュー画像を生成するので、原稿の１ページ目から順に上記画像処理を実行する場合に比べ、設定された部分すなわちユーザが確認したいページ（所望のページ）のプレビュー表示を開始するまでに掛かる時間を短くできる。
【発明を実施するための最良の形態】
【００１８】
（第１実施形態）
本発明の一実施形態に係る画像データ出力装置の概略について、図１及び図２を用いて説明する。
図１は、本発明の一実施形態に係る画像データ出力装置の構成例を示す概略ブロック図で、図示の例の画像データ出力装置は、複写動作等に用いられる印刷機能やファクシミリ送信機能等を有する複合機として構成されている。また、図２は、図１の複合機におけるタッチパネル及びキー操作部の一例を示す外観図である。
【００１９】
複合機として構成された画像データ出力装置（以下、ＭＦＰ）１は、タッチパネル１０、パネル制御部１１、記録部１２、読取部１３、フォーマット変換部１４、画像記憶部１５、画像処理部１６、符号化／復号部１７、メイン制御部１８、制御用メモリ１９、キー操作部２０、ＬＡＮ（Local Area Network）制御部２１、制御用バッファ２２、網制御部（ＮＣＵ：Network Control Unit）２３、及びモデム２４を備えている。
【００２０】
メイン制御部１８はＣＰＵ（Central Processing Unit）などで構成され、制御用メモリ１９は、ＲＯＭ（Read Only Memory）等の不揮発性メモリなどで構成される。制御用メモリ１９内にはメイン制御部１８から読み出し可能なように、プログラム（ファームウェア）と各種設定データとが格納されている。また、制御用バッファ２２はＲＡＭ（Random Access Memory）等の揮発性メモリで構成される。
【００２１】
上述のプログラムは、本発明に係る原稿の読み取りに係る命令をはじめ、プレビュー画像の生成、表示に係る命令、ファクシミリ画像や電子メール等の生成・送信・受信等に係る命令、印刷に係る命令などの、メイン制御部１８が実行する制御プログラムである。このプログラムは、メイン制御部１８により、制御用バッファ２２上に展開され、制御用バッファ２２を一時保存（作業）用のデータ領域として、各種設定データを適宜参照しながら実行される。
【００２２】
また、制御用メモリ１９は、読取範囲記憶部１９ａと、出力条件記憶部１９ｂと、を有する。本ＭＦＰ１は、後述のように、プレビュー表示範囲を設定でき、原稿のうちの当該設定された範囲のみ読み取るので、読取範囲記憶部１９ａが、設定されたプレビュー表示範囲（読取範囲）を記憶する。また、ＭＦＰ１は、プレビュー画像を生成するために、設定された出力条件に基づく画像処理を行うので、出力条件記憶部１９ｂが、設定された出力条件を記憶する。
【００２３】
読取部１３は、図示しない原稿載置台に載置された原稿を一枚ずつ搬送する自動原稿搬送部（ＡＤＦ：Auto Document Feeder）１３ａを有しており、ＡＤＦ１３ａにより搬送された原稿の画像をＣＣＤ（Charge Coupled Device）等を用いて１ページずつ読み取ることができ、読み取ったＲＧＢ（Ｒ：赤、Ｇ：緑、Ｂ：青）の画像データを画像処理部１６に出力する。また、読取部１３は、図示しないカウンタを有しており、このカウンタやＡＤＦ１３ａの用紙検知センサ等を用いて、何ページ目の原稿を読み取っているかや、原稿の総ページ数をカウントできるようになっている。
【００２４】
画像処理部１６は、対象となる画像データに対して様々な画像処理を行う。例えば、読取部１３からのＲＧＢ画像データに対するＡ／Ｄ変換等を含む原稿読取時の画像処理（原稿画像処理）を行う。原稿画像処理後の画像データは、画像記憶部１５に記憶される。また、画像処理部１６は、読み取って画像記憶部１５に記憶された画像データの印刷や外部装置への送信の際（出力の際）、設定された出力条件（印刷倍率に関する出力条件や所謂Ｎ−ｕｐ印刷の設定情報等）等に基づき、当該画像データに印刷用画像処理やファックス送信用画像処理を行う。この印刷用画像処理やファックス送信用画像処理には、出力形態に応じた画質調整処理等が含まれる。なお、設定出力条件は、制御用メモリ１９の出力条件記憶部１９ｂに記憶されている。
【００２５】
また、画像処理部１６は、プレビュー画像生成部１６ａを有する。プレビュー画像生成部１６ａは、例えば、画像記憶部１６に記憶されている画像データに、設定出力条件に基づき各種画像調整処理（プレビュー表示用画像処理）を行い、プレビュー画像を生成する。プレビュー表示用画像処理には、タッチパネル１０の表示特性に基づいて画像データを変換する色補正処理や、印刷倍率に応じた画像拡大／縮小処理等がある。生成されたプレビュー画像はパネル制御部１１に出力され、タッチパネル１０に表示されるよう制御される。
【００２６】
なお、本ＭＦＰ１は、画像データに特定の文字や記号（例えば、「極秘」の文字）等の付加情報を付加して出力することができるようになっているので、画像処理部１６やプレビュー画像生成部１６ａが、出力用の画像データやプレビュー画像を生成する際に、付加情報の画像データを付加先の画像データの付加位置に合成する処理も行う。これら合成処理もプレビュー表示用画像処理に含まれる。
【００２７】
画像記憶部１５は、ハードディスク等で構成され、読取部１３から画像処理部１６等を経た画像データを原稿ページ毎に原稿ページ番号で区別可能に記憶する。なお、原稿ページや原稿ページ番号とは、原稿におけるページやページ番号のことを指し、本明細書では、Ｎ−ｕｐ印刷を考慮し、これらと印刷時等の出力時におけるページやページ番号とを区別するためにこのように記す。また、印刷時におけるページやページ番号については、印刷時ページや印刷時ページ番号と以下省略する。
【００２８】
符号化／復号部１７は、画像データを符号化により圧縮すると共に、符号化画像データを元の画像データに復号（伸張）する。例えば、符号化／復号部１７は、必要に応じて、原稿を読み取った画像データの符号化、その符号化データの復号、外部から受信した符号化画像データの復号などを行う。符号化／復号部１７では、ファイリングで一般的に使用されているＪＰＥＧ（Joint Photographic Experts Group）など、用途に応じた符号化方式を用いることができる。
フォーマット変換部１４は、読み取られた画像データや外部から受信した画像データを、ＰＤＦ（Portable Document Format）等の所定のファイルフォーマットに変換する。
記録部１２は、電子写真方式などの印刷方式を採用したプリンタ装置を備え、画像記憶部１５に記憶された画像データなどを、記録用紙に記録（つまり印刷）する。例えば、印刷用画像処理後の画像データに基づき、記録を行う。
【００２９】
モデム２４は、ファクシミリ通信が可能なファクシミリモデムから構成されており、電話回線と接続され、またＮＣＵ２３と直接的に接続されている。ＮＣＵ２３は、必要に応じてモデム２４を公衆電話回線網と接続する。このような構成により、画像記憶部１５に記憶された画像データを外部へファクシミリ送信すること等が可能となる。
ＬＡＮ制御部２１は、ＬＡＮと接続され、インターネット経由による電子メールデータの通信及びインターネットファクシミリ（インターネットＦＡＸ）の通信を行う。
【００３０】
タッチパネル１０又はキー操作部２０は、原稿の読み取り処理、印刷処理等の処理の中から所望の処理を選択するための操作、その処理を開始するための操作、各処理を実行する際に必要となる設定を行うための操作（選択操作又は入力操作）などを受け付ける。タッチパネル１０及びキー操作部２０は、図２で例示するような操作パネル３０として構成してもよい。キー操作部２０は、原稿読込開始等の指示を受付けるスタートキー２０ａ等、操作するために必要なキー群を備えている。
【００３１】
タッチパネル１０は、液晶ディスプレイ等の表示部とタッチセンサ等の操作受付部とを有する。タッチパネル１０は、パネル制御部１１によってその表示制御及び操作受け付けの制御がなされる。つまり、パネル制御部１１は、タッチパネル１０における表示部の表示制御や操作受付部の操作受付制御を行う。
タッチパネル１０の表示部への表示は、ＧＵＩ（Graphical User Interface）画像を表示させるように、パネル制御部１１が制御することで実現される。各ＧＵＩ及びその画像は、パネル制御部１１の内部メモリ又は制御用メモリ１９に、読み出し可能に格納しておけばよい。
【００３２】
このタッチパネル１０は、出力対象の画像データをプレビュー表示する表示部の一例であり、タッチパネル１０には、プレビュー画像生成部１６ａで生成されパネル制御部１１に出力されたプレビュー画像が、パネル制御部１１によりＧＵＩ画像に組み込まれた状態で表示される。
また、本ＭＦＰ１は、パンチ処理、ステープル処理等の仕上げ処理を記録紙に施すことができるようになっているので、仕上げ処理を施した場合の出力結果をユーザが確認できるよう、パネル制御部１１が、プレビュー画像生成部１６ａが生成したプレビュー画像と共に、仕上がり状態を示す情報（例えば、印刷を行う用紙に施すステープルやパンチ穴に関する情報）をタッチパネル１に表示させる制御を行う。
このようにプレビュー画像生成部１６ａ及びパネル制御部１１は、読取部１３で読み取り画像記憶部１５に記憶した画像データに基づき、プレビュー表示する表示制御手段の一例である。
【００３３】
＜本発明に係る画像データ出力（印刷、送信又はファイリング）前のプレビュー表示動作の説明＞
以上のような各部から構成されるＭＦＰ１は、原稿の画像を読取部で読み取った画像データについて、設定された出力条件に基づくその出力状態をタッチパネル１０にプレビュー表示するものであって、ＡＤＦ１３ａにセットされている原稿のうちプレビュー表示範囲を設定する設定部を備える。ＭＦＰ１では、プレビュー表示範囲が設定された場合、原稿のうち当該範囲についてのみ、画像の読み取りを読取部１３で行い、画像データに対する原稿画像処理を画像処理部１６で行い画像記憶部１５に記憶し、さらに、出力条件に基づくプレビュー表示用画像処理を実行して、原稿のうち当該設定された範囲についてのみプレビュー表示可能な部分プレビュー表示を適宜開始する。
【００３４】
従来の方法では、ユーザが確認したい部分がある場合に、原稿全体について画像の読み取り（原稿画像処理を含む）及びプレビュー表示用画像処理を実行してから、確認したい部分のプレビュー表示を開始する。それに対し、本ＭＦＰ１では、特に、プレビュー表示用画像処理を、１ページ目から実行するのではなく、原稿のうちプレビュー表示範囲として設定された部分のみに実行する。そのため、確認したい部分をプレビュー表示するまでに必要な原稿画像処理に掛かる時間を短縮することができる。
【００３５】
以下、図３〜図８を参照して、印刷（コピー）時の部分プレビュー表示の際にＭＦＰ１のタッチパネル１０に表示される画面の例を、そのときのＭＦＰ１の動作と共に説明する。
【００３６】
図３は、図１及び図２で説明したＭＦＰの標準画面の例を示す図である。図３では、標準画面として、ＭＦＰ１においてタッチパネル１０に表示されるＧＵＩ画像の一例（ＧＵＩ画像４０とする）を示している。ＧＵＩ画像４０は、ＭＦＰ１の電源がＯＮになったりリセットされたときにタッチパネル１０に表示される。このＧＵＩ画像４０では、ＭＦＰ１の動作モードを選択するために、コピーモード選択キー４１、イメージ送信モード選択キー４２、ドキュメントファイリングモード選択キー４３が表示されており、ＧＵＩ画像４０ではコピーモードが選択されている状態を示す。
【００３７】
ＧＵＩ画像４０では、コピーを行うときの各種の条件設定が可能となっており、例えば、印刷倍率の設定を行うための倍率キー４４、パンチやステープル等の仕上げ処理の設定を行うための仕上げキー、その他コピー時の詳細設定を行うための特別機能キー４５等が表示されている。ＧＵＩ画像４０で表示されるキーを介して設定された印刷条件は、原稿読取開始時に制御用メモリ１９の出力条件記憶部１９ｂに記憶される。
また、ＧＵＩ画像４０では、原稿の画像を読取部１３で読み取った画像データの、設定された印刷条件に基づく印刷状態を、タッチパネル１０にプレビュー表示するためのプレビュー確認キー４６が表示されている。
【００３８】
図４は、図１及び図２で説明したＭＦＰのプレビューを開始する際の原稿読取開始時に表示される画面の例を示す図である。図４で示すＧＵＩ画像４７は、図３のＧＵＩ画像４０にポップアップ画像４８を組み込んだ画像であり、ＧＵＩ画像４０の表示中にプレビュー確認キー４６をＯＮに設定して反転させ、コピーを開始するスタートキー２０ａ（図２参照）を押下することで表示される。
【００３９】
ポップアップ画像４８には、プレビュー表示にあたり原稿読取範囲を設定するため、すなわち、部分プレビュー表示範囲を設定するためのＹＥＳキー４８ａと、原稿読取範囲を設定せずに通常通りプレビュー表示させるためのＮＯキー４８ｂと、が表示される。
【００４０】
図５は、図１及び図２で説明したＭＦＰの原稿読取範囲を設定する画面の例を示す図である。図５に示すＧＵＩ画像４９は、原稿読取範囲設定画面であり、図４のポップアップ画像４８のＹＥＳキー４８ａが押下された後に、ＧＵＩ画像４７におけるポップアップ画像４８を消去し、図３のＧＵＩ画像４０に重ねてポップアップ画像５０を表示したものである。ポップアップ画像５０では、原稿ページ単位で原稿読取範囲を設定することができ、原稿読取開始ページ及び原稿読取終了ページの入力欄５０ａ，５０ｂと、原稿読取範囲の設定を完了し読み取りを開始させるためのＯＫキー５０ｃが表示されている。ユーザは、タッチパネル１０に表示される入力欄５０ａを選択し、キー操作部２０のテンキー２０ｂを介して、原稿のうちプレビューで確認したい部分（すなわち読み取る部分）の先頭ページの番号を入力し、さらに、入力欄５０ｂを選択し、同様にプレビューで確認したい部分の最終ページの番号を入力し、ＯＫボタン５０ｃを押下することで原稿読取範囲を設定することができる。
このように、タッチパネル１０及びキー操作部２０は、本発明の設定部として機能する。
【００４１】
また、ＯＫボタン５０ｃが押下されると、設定された原稿読取範囲は読取範囲記憶部１９ａに記憶され、読取部１３は、原稿の読み取りを開始する。読取部１３は、このように原稿読取範囲が設定された場合は、読取範囲記憶部１９ａを参照し、ＡＤＦ１３ａを利用して、原稿のうち設定された原稿読取範囲の部分については、その用紙を搬送しつつ用紙上に形成された画像を読み取り、範囲外の部分については、その用紙の画像を読み取らずに搬送する。
【００４２】
図６は、図１及び図２で説明したＭＦＰの部分プレビュー表示時に表示される画面の例を示す図である。図６に示すＧＵＩ画像５１は、図５のＧＵＩ画像４９において、ポップアップ画像５０のＯＫキー５０ｃが押下された後に表示される。より具体的には、ＯＫキー５０ｃが押下された後、例えば、原稿のうち設定された原稿読取範囲の部分を全て読取部１３で読み取り、読み取った画像データ全てに対して画像処理部１６で原稿画像処理を実行し、プレビュー画像生成部１６ａが原稿画像処理実行済の画像データ全てについて出力条件記憶部１９ｂを参照しプレビュー画像を生成した後に、ＧＵＩ画像５１はタッチパネル１０に表示される。
【００４３】
ＧＵＩ画像５１は、部分プレビュー表示画面であり、動作状態メッセージ５２として「部分プレビュー表示を行っていること」を表示している。
なお、ＭＦＰ１は、図４のポップアップ画像４８のＮＯキー４８ｂが押下された場合、部分プレビュー表示でない通常のプレビュー表示時に表示されるＧＵＩ画像（通常のプレビュー表示画面）を表示する。しかし、このＧＵＩ画像は、図６のＧＵＩ画像５１と、動作状態メッセージ５２の内容や後述のプレビュー表示可能ページ情報５６及び部分設定変更キー６３等を表示しない点でのみ異なり、また、本発明の主要部ではないため、その説明を省略する。
【００４４】
ＧＵＩ画像５１の説明に戻る。
ＧＵＩ画像５１は、プレビュー画像５３をＧＵＩ画像に組み込んで表示したものであり、プレビュー画像５３は、画像記憶部１５に記憶の原稿画像処理後の画像データからプレビュー画像生成部１６ａにより生成したものである。このＧＵＩ画像５１は、画像データの印刷状態を印刷時ページ毎に示している。
ＧＵＩ画像５１には、プレビュー表示している画像データを原稿ページ単位で変更するために、現在のページを原稿ページで示す現ページ情報５４と、原稿ページ単位でページ切換可能なページ切換キー５５と、プレビュー表示可能なページすなわち設定した読取範囲のページを原稿ページで示すプレビュー表示可能ページ情報５６が表示されている。また、ＧＵＩ画像５１には、原稿の総ページ数を原稿ページで示す総ページ数情報５７が表示されている。
なお、図示は省略するが、Ｎ−ｕｐ印刷の場合は、現ページ情報５４が示す現在のページの画像データが、プレビュー画像のどの部分の画像に対応するかを示すために、プレビュー画像の対応部分に枠等を合成して表示するようにするとよい。
【００４５】
ＧＵＩ画像５１には、さらに、拡大／縮小キー５８、表示の回転キー５９等が表示されており、ユーザはこれらを適宜操作することによって、プレビュー画像５３を拡大／縮小或いは回転させて確認することができる。
また、ＧＵＩ画像５１には、仕上がり状態の表示を行わせるための仕上がり表示キー６０も表示されており、ユーザはこのキー６０を操作することによって、印刷後の仕上がり状態をプレビューとして確認することができる。ＧＵＩ画像５１では、仕上がり情報として、印刷した用紙にパンチ穴をあけたパンチ情報６１がプレビュー画像とともに表示されている。これにより、ユーザは仕上がり状態としてパンチ穴が開けられることと、そのパンチ穴の位置を確認することができる。
【００４６】
ＧＵＩ画像５１には、さらに、再設定キー６２が表示されており、プレビュー画像５２や仕上がり情報（パンチ情報６１等）を確認することで、印刷条件を再設定する必要やプレビュー表示範囲を拡大する必要（すなわち追加読取する必要）が生じる場合がある。これらの場合等において、ユーザは再設定キー６２を操作することにより、印刷条件を再設定したり追加読取を指示したりするための再設定画面（例えば、後述の図８のＧＵＩ画像６７）を表示させることができる。そして、再設定画面を使用して印刷条件を再設定し、再設定した印刷条件に基づくプレビュー画像５１を表示させることができる。再設定された印刷条件は、出力条件記憶部１９ｂに記憶される。また、再設定画面を使用して追加読取を指示し、追加読取を実行させ当該部分についてまでプレビュー画像５１を表示させることができる。追加で読み取った範囲の情報も読取範囲記憶部１９ａに記憶される。
【００４７】
ＧＵＩ画像５１には、さらに、コピー開始キー６３が表示されており、ユーザはこのコピー開始キー６３を操作することによって、例えば、原稿のうち既に読み込んでおり部分プレビュー表示可能な部分を印刷条件に基づき印刷させることができる。
【００４８】
図７は、図１及び図２で説明したＭＦＰの再設定画面の例を示す図である。図７で示す再設定画面のＧＵＩ画像６４は、図６のＧＵＩ画像５１において、再設定キー６２が押下された後に表示される。ＧＵＩ画像６４には、再設定した印刷条件でのプレビュー表示を開始するための再プレビューキー６５と、印刷条件の変更をキャンセルするためのキャンセルキー６６と、原稿のうちそれまでに読み取った範囲以外の部分の読取（追加読取）を実行させ、当該部分も含め、設定した又は再設定した出力条件でプレビュー表示を開始するための追加読取キー６７と、が表示されている。
【００４９】
ＧＵＩ画像６４からは、様々な印刷条件の変更が可能となっており、例えば、倍率キー４４を押下し、その後の画面を操作していくことで、印刷倍率を変更することができる。また、カラーモードについても変更することができ、スタンプ処理（例えば、スタンプの位置や向き）や合い紙処理等の仕上げ処理についても変更することができる。さらに、例えば、特別機能キー４５を押下し、その後の画面を操作していくことで、Ｎ−ｕｐ印刷の設定を変更することができる。また、特別機能キー４５を押下し操作していくことで、所望のページについて回転して印刷されるよう設定したり、原稿におけるページの順番と記録時のページの順番とが変わるようにページの順番を変更するよう設定したりすることができる。
さらに、特別機能キー４５を押下し操作していくことで、所望の原稿ページの前に、１原稿ページ分または複数原稿ページ分の白画像データを挿入するよう設定したりすることができる。これにより、例えば、Ｎ−ｕｐ印刷を設定している場合に、原稿のうち、原稿ページでＭページとＭ＋１ページの画像を、同じ記録紙上に印刷したくないときに、これを回避することができる。
【００５０】
各種キーの操作等により印刷条件が変更された後、再プレビューキー６８が押下されると、変更後の印刷条件が出力条件記憶部１９ｂに記憶される。白画像データを挿入する印刷条件が設定された場合は、原稿ページで何ページ分の白画像データを挿入するかや、白画像データを挿入する直前または直後の原稿ページ番号についても出力条件記憶部１９ｂに記憶される。
【００５１】
図８は、図１及び図２で説明したＭＦＰの、追加読取を行うときに表示される画面の例を示す図である。図８で示すＧＵＩ画像６８は、図７のＧＵＩ画像６４にポップアップ画像６９を組み込んだ画像であり、ＧＵＩ画像６４の追加読取キー６７を押下された後にユーザにより追加読取範囲が設定された後に表示される。タッチパネル１０に表示されるポップアップ画像６９は、「追加読取のために自動原稿搬送装置に再度原稿をセットする必要があること」を表示している。このように、タッチパネル１０は、部分プレビュー表示開始後にユーザから追加読取指示を受けた場合に、一旦読み取った原稿を自動原稿搬送部１３ａの原稿載置台に再度載置するようユーザに報知する報知部として機能する。
【００５２】
ＧＵＩ画像６８が表示されている状態で、ユーザが自動原稿搬送部１３ａに載置した後にスタートキー２０ａ（図２参照）を押下すると、ＭＦＰ１は、原稿の追加読取を開始する。この追加読取の際、原稿のうちそれまでに読み取った部分（すなわち以前にプレビュー表示範囲として設定された部分）については、画像を読み取らず、今回追加された部分のみの画像を読み取ることが好ましい。そして、このとき得られる画像データとそれまでに読み取った画像データに出力条件に基づく画像処理を実行しプレビュー画像を生成し、部分プレビュー表示を再度行う。また、ＧＵＩ画像６８が表示される前に表示される再設定画面のＧＵＩ画像６４において出力条件が再設定されている場合があるので、その場合は、追加読取を開始する前に、再設定された出力条件記憶部１９ｂに記憶するとよい。なお、追加読取の前までに読み取った画像データについては、出力条件が再設定された場合のみプレビュー画像を再度作成することが好ましい。ただし、以下の例では、当該画像データについても、追加読取時にプレビュー画像を再作成するものとする。
【００５３】
次に、ＭＦＰ１において、コピー処理を例に挙げて、プレビュー表示及び印刷処理を実行する時の流れについて、図９及び図１０を参照しながら説明する。図９及び図１０は、図１及び図２のＭＦＰのプレビュー表示及び印刷処理を実行する手順の一例を説明するためのフロー図である。なお、コピー対象の原稿は片面印刷のものであるものとする。
【００５４】
ＭＦＰ１は、電源がＯＮになった場合、図３のＧＵＩ画像４０をタッチパネル１０に表示し、印刷条件を入力（設定）させる（ステップＳ１）。そして、ＧＵＩ画像４０のプレビュー確認キー４６をＯＮに設定した状態でコピーを開始するスタートキー２０ａ（図２参照）が押下され、プレビュー表示が指示される（ステップＳ２）と、設定された印刷条件を出力条件記憶部１９ｂに記憶する。また、図４のＧＵＩ画像４７を表示し、そのときの操作結果に基づき、プレビュー表示時の読取範囲を設定するか否かを判定する（ステップＳ３）。
【００５５】
読取範囲を設定しない場合（ステップＳ３，ＮＯ）、すなわち、ＧＵＩ画像４７のＮＯキー４８ｂが押下された場合、原稿全体がスキャン対象となり、出力条件記憶部１９ｂを参照し通常のプレビュー表示を行った後、同じく出力条件記憶部１９ｂを参照し印刷処理を行っていく。この読み取り範囲を設定しない場合の動作は、本発明の主要部ではないので、その詳細な説明は省略する。
【００５６】
一方、読取範囲を設定する場合（ステップＳ３，ＹＥＳ）、すなわち、ＧＵＩ画像４７のＹＥＳキー４８ａが押下された場合、ＧＵＩ画像４９をタッチパネル１０に表示し、読取開始ページ及び終了ページを原稿ページで入力させ（ステップＳ４）、読取範囲を設定させる。そして、ＧＵＩ画像４９のＯＫキー５０ｃが押下される等して、設定された読取範囲の読み取り開始の指示を受けると（ステップＳ５）、設定された読取範囲を読取範囲記憶部１９ａに記憶すると共に、ＡＤＦ１３ａ（の原稿載置台）に原稿が載置されているか否か判定する（ステップＳ６）。原稿が載置されていない場合（ＮＯの場合）は、ＡＤＦ１３ａに原稿が載置されていないことをタッチパネル１０に表示すること等によりユーザに報知する（ステップＳ７）。
【００５７】
ステップＳ６において、ＡＤＦ１３ａに原稿が載置されている場合（ＹＥＳの場合）は、原稿のうち設定された読取範囲の部分についてのみ、読取部１３で画像を読み取る（ステップＳ８）。より具体的には、メイン制御部１８の制御の下、ＡＤＦ１３ａを用いて原稿を一枚ずつ読取部１３のＣＣＤへ搬送し、読取範囲記憶部１９ａを参照して、現在ＣＣＤに搬送された用紙が設定読取範囲内のものであるか判定し、設定読取範囲内のものであれば、その画像をＣＣＤで読み取ってから排紙トレイに排出し、設定読取範囲外のものであれば、ＣＣＤでの読み取り等を行わずに排出する。読み取って得られた画像データについては、画像処理部１６で原稿画像処理を実行し、画像記憶部１５に記憶し、ステップＳ９に進む。
【００５８】
ステップＳ９では、プレビュー画像生成部１６ａが、画像記憶部１５に記憶の全ての画像データについて、出力条件記憶部１９ｂを参照して、画像データに基づくプレビュー画像を生成する。プレビュー画像の生成が終了すると、図６のＧＵＩ画像５１を表示して、部分プレビュー表示を開始する（ステップＳ１０）。
【００５９】
部分プレビュー表示中は、以下のステップＳ１１，Ｓ１３，Ｓ１８の判定を繰り返し行う。
ステップＳ１１では、図６のＧＵＩ画像５１の再設定キー６２が押下され、図７の再設定画面のＧＵＩ画像６４の再プレビューキー６５が押下されたか否か判定する。押下されていない場合（ＮＯの場合）は、ステップＳ１３へ進み、押下された場合（ＹＥＳの場合）、すなわち、印刷条件が再設定された場合は、再設定された印刷条件を出力条件記憶部１９ｂに記憶する（ステップＳ１２）。その後、ステップＳ９，Ｓ１０を繰り返し、部分プレビュー表示を再開する。
【００６０】
なお、再設定された印刷条件がプレビュー画像の再作成の必要のないもの、例えば、パンチ処理の設定が変更された場合などは、ステップＳ１２からステップ９に戻らずにステップＳ１０に戻り、プレビュー表示を再開する。
【００６１】
ステップＳ１３では、図６のＧＵＩ画像５１の再設定キー６２が押下され、図７の再設定画面のＧＵＩ画像６４の追加読取キー６７が押下されたか否か判定する。押下されていない場合（ＮＯの場合）は、ステップＳ１８へ進み、押下された場合（ＹＥＳの場合）、すなわち、追加読取指示を受けた場合、追加読取範囲の設定画面（不図示）を表示して設定させた後、図８のＧＵＩ画像６８をタッチパネル１０に表示し、ＡＤＦ１３ａへの原稿の再セットが必要なことを報知する（ステップＳ１４）。そして、スタートキー２０ａが押下されたか判定し（ステップＳ１５）、押下されていない場合（ＮＯの場合）は、ステップＳ１５に戻り、押下された場合（ＹＥＳの場合）は、追加された読取範囲を読取範囲記憶部１９ａに記憶する（ステップＳ１６）。なお、その際、出力条件が再設定されている場合は、その出力条件を出力条件記憶部１９ｂに記憶する。そして、読取範囲記憶部１９ａを参照し、原稿の設定追加読取範囲について、読取部１３で画像を読み取る（ステップＳ１７）。その後、ステップＳ９，Ｓ１０を繰り返し、部分プレビュー表示を再開する。
【００６２】
ステップＳ１８では、図６の部分プレビュー表示画面のＧＵＩ画像５１のコピー開始キー６３が押下されたか判定する。押下されていない場合（ＮＯの場合）は、ステップＳ１１に戻り、押下された場合（ＹＥＳの場合）は、原稿のうち読み取った部分について、出力条件記憶部１９ｂを参照し、印刷条件に基づく印刷用画像処理を画像処理部１６で実行し、記録部１２がその印刷用画像処理後の画像データに基づき印刷することにより、原稿のうち設定された読取範囲の部分（ユーザが所望する部分）について印刷する（ステップＳ１９）。
【００６３】
以上のように印刷を行うことで、原稿を分離することなく、読取範囲を指定するだけで所望の原稿の読み取りが可能となるとともに、読み取った部分についてはプレビュー表示により内容の確認も可能となるので、利用者の操作性を向上することができる。
また、ユーザが原稿の所望する部分の出力内容を確認する際、従来の画像データ出力装置では、１ページから最終ページまで全ての原稿を読み取った後に全てのプレビュー画像を形成し、ユーザが所望するページからプレビュー画像を表示させる制御が必要となる。それに対し、本ＭＦＰ１は、プレビュー表示範囲を指定できるので、原稿読取後のプレビュー画像の形成時間を短縮することができる。
【００６４】
なお、以上の例は、部分プレビュー表示開始後にユーザから出力指示を受けた場合に、原稿のうち設定された読取範囲（プレビュー表示範囲）の部分の画像を読み取った画像データを出力する形態であるが、同様に出力指示を受けた場合に、原稿の全体について出力するようにしてもよい。このように原稿の全体に出力するには、図１０のステップＳ１８において、図６の部分プレビュー表示画面のＧＵＩ画像５１のコピー開始キー６３が押下されたと判定された場合（ＹＥＳ）に、ステップＳ１９に代えて、例えば、図１１に示すフロー図に基づいた処理を行えばよい。
【００６５】
図１１の例では、コピー開始キー６３が押下された場合（ステップＳ１８、ＹＥＳ）に、図８のポップアップ画像に似た「自動原稿搬送装置に再度原稿をセットする必要があること」を示すポップアップ画像（不図示）を図６のＧＵＩ画像５１に重ねてタッチパネル１０に表示し、ＡＤＦ１３ａへの原稿の再セットが必要なことを報知する（ステップＳ２０）。このように、タッチパネル１０は、部分プレビュー表示開始後にユーザから印刷指示等の出力指示を受けた場合に、一旦読み取った原稿を自動原稿搬送部１３ａの原稿載置台に再度載置するようユーザに報知する報知部として機能する。
【００６６】
そして、上記報知後、再び、部分プレビュー表示画面のＧＵＩ画像５１のコピー開始キー６３が押下されたか判定し（ステップＳ２１）、押下されていない場合（ＮＯの場合）は、ステップＳ２１に戻る。
一方、押下された場合（ＹＥＳの場合）は、ＡＤＦ１３ａに原稿が載置されているか判定し（ステップＳ２２）、載置されていなければ（ＮＯの場合）、ステップＳ２０へ戻り、載置されていれば（ＹＥＳの場合）、ＡＤＦ１３ａを用いた読取部１３（のＣＣＤ）への原稿の搬送を開始する（ステップＳ２３）。
【００６７】
そして、原稿のうち部分プレビュー表示の際に読み取っていなかった部分（設定読取範囲外の部分）の画像を読取部１３で読み取る（ステップＳ２４）。より具体的には、メイン制御部１８の制御の下、ＡＤＦ１３ａを用いて原稿を一枚ずつ読取部１３のＣＣＤへ搬送し、読取範囲記憶部１９ａを参照して、現在ＣＣＤに搬送された用紙が設定読取範囲（追加読取範囲も含む）内のものであるか判定し、設定読取範囲外のものであれば、その画像をＣＣＤで読み取ってから排紙トレイに排出し、設定読取範囲内のものであければ、ＣＣＤでの読み取り等を行わずに排出する。読み取って得られた画像データについては、画像処理部１６で原稿画像処理を実行し、画像記憶部１５に記憶し、ステップＳ２５に進む。
【００６８】
ステップＳ２５では、このようにして得られた、原稿のうちプレビュー表示の際に読み取った部分以外の部分の画像データと、原稿のうちプレビュー表示の際に読み取った部分とに対して、出力条件記憶部１９ｂを参照し、印刷条件に基づく印刷用画像処理を画像処理部１６で実行し、記録部１２がその印刷用画像処理後の画像データに基づき印刷することにより、原稿の全体について印刷する。
【００６９】
ＭＦＰ１では、画像記憶部１５に画像データを原稿ページ毎に原稿ページ番号で区別可能に記憶しているので、原稿の全体について印刷する際に、原稿の画像が印刷条件に基づく順序で並ぶよう印刷する（例えば、原稿の画像と同一の順序で並ぶよう印刷する（原稿におけるページ順どおりに記録紙上に画像を印刷する））ことができる。
【００７０】
以上のように原稿の全体について印刷する場合でも、プレビュー表示範囲を指定できるため、原稿読取後のプレビュー画像の形成時間を短縮し、ユーザが所望する部分のプレビュー表示を開始するまでの時間を従来に比べて短くすることができる。
【００７１】
また、上述のように部分プレビュー表示をする場合、部分プレビュー表示した部分の一部または全部について、原稿の他の部分の印刷条件とは異なる印刷条件にできるようにするとよい。これを可能とするためには、出力条件記憶部１９ｂで、部分的に適用する出力条件と、原稿の出力対象部分（原稿全体や原稿のうちプレビュー表示が設定された部分）に適用する出力条件と、を別個に記憶しておけばよい。部分的に適用する出力条件を記憶する際は、適用先の原稿ページ番号と共に記憶する。また、部分プレビュー表示画面（図６のＧＵＩ画像５１）に、部分的に適用する出力条件の設定画面に遷移するための部分設定変更キーを再設定キー（原稿の出力対象部分全体に適用する出力条件の再設定画面に遷移するためのキー）と共に表示するとよい。
【００７２】
（第２実施形態）
本発明の他の実施形態に係る画像データ出力装置の概略について、図１２を用いて説明する。なお、本実施形態の構成要素であって第１実施形態の構成要素と同様なものについては、同じ参照番号を用いることにより、その説明を省略する。
本実施形態の画像データ出力装置は、図１２のＭＦＰ１´で例示するように、図１のＭＦＰ１と同様なタッチパネル１０等を介して、原稿の読み取り開始前にプレビュー表示範囲を設定することができ、プレビュー表示範囲が設定された場合は、原稿のうち当該範囲についてのみ、プレビュー画像用画像処理を実行し、当該設定された範囲のみプレビュー表示可能な部分プレビュー表示を行うことができる。
【００７３】
図１２のＭＦＰ１´は、制御用メモリ１９´、読取部１３´並びに画像処理部１６´の構成及び／又は機能が図１のＭＦＰ１のものと異なる。
具体的な主な違いは、図１のＭＦＰ１では、制御用メモリ１９がプレビュー表示範囲でもある読取範囲を記憶する読取範囲記憶部１９ａを有し、部分プレビュー表示を行う際に、読取部１３が原稿のうち読取範囲として設定された部分のみ読み取るようになっている。
それに対し、ＭＦＰ１´では、制御用メモリ１９´がプレビュー表示範囲を記憶するプレビュー表示範囲記憶部１９ａ´を有し、部分プレビュー表示を行う際に、読取部１３´が原稿全体を読み取る。また、プレビュー画像生成部１６ａ´は、部分プレビュー表示の際、図１のＭＦＰ１の場合と異なり、画像記憶部１５内には原稿全体の画像データが記憶されて当該全ての画像データが部分プレビュー表示の対象であるわけではないので、プレビュー表示範囲記憶部１９ａ´を参照し、部分プレビュー表示の対象の部分の画像データのみ抽出する。そして、当該画像データに対し、出力条件記憶部１９ｂを参照して、設定された出力条件に基づき画像処理を実行してプレビュー画像を作成し、部分プレビュー表示を行う。
【００７４】
ＭＦＰ１´でも、プレビュー表示用画像処理を、１ページ目から実行するのではなく、上述のように、原稿のうちプレビュー表示範囲として設定された部分のみに実行するため、プレビュー画像の形成時間を短縮することができるので、確認したい部分をプレビュー表示するまでに必要な原稿画像処理に掛かる時間を短縮することができる。
【００７５】
続いて、ＭＦＰ１´におけるプレビュー表示及び印刷処理を実行する時の流れについて、コピー処理を例に挙げて、図１３及び図１４を参照しながら説明する。図１３及び図１４は、図１２のＭＦＰのプレビュー表示及び印刷処理を実行する手順の一例を説明するためのフロー図である。なお、コピー対象の原稿は片面印刷のものであるものとする。また、図９及び図１０を用いて説明した図１のＭＦＰ１における処理と同じ部分については、同じ参照符号を付しその説明を適宜省略する。
【００７６】
ＭＦＰ１´は、プレビュー表示が指示される（ステップＳ２）と、プレビュー表示にあたりその範囲を設定するか否かをユーザに問う表示画面を表示し、当該画面に対する操作結果に基づき、部分プレビュー表示を行うか否か、すなわち、プレビュー表示範囲を設定するか否かを判定する（ステップＳ３１）。設定しない場合（ＮＯの場合）は、通常のプレビュー表示を行い、設定する場合（ＹＥＳの場合）は、プレビュー表示範囲設定画面（不図示）をタッチパネル１０に表示し、プレビュー表示開始ページ及び終了ページを原稿ページで入力させ（ステップＳ３２）、プレビュー表示範囲を設定させる。そして、読取開始の指示を受けると（ステップＳ３３）、設定された範囲をプレビュー表示範囲記憶部１９ａ´に記憶すると共に、ステップＳ６に移行する。
【００７７】
ステップＳ６において、ＡＤＦ１３ａに原稿が載置されている場合（ＹＥＳの場合）は、原稿全体の画像を読取部１３で読み取る（ステップＳ３４）。読み取って得られた画像データは、画像処理部１６´で原稿画像処理を実行し、画像記憶部１５に記憶する。
そして、プレビュー画像生成部１６ａ´が、プレビュー表示範囲記憶部１９ａ´を参照し、画像記憶部１５に記憶されている画像データの中から、設定されたプレビュー表示範囲の画像データを抽出し、当該画像データに対し、出力条件記憶部１９ｂを参照して、設定された出力条件に基づいて画像処理を実行してプレビュー画像を生成する（ステップＳ３５）。
【００７８】
プレビュー画像の生成終了後、部分プレビュー表示を行い、当該部分プレビュー表示中は、ステップＳ１１，Ｓ１８の判定と、以下のステップＳ３６の判定を繰り返し行う。
ステップＳ３６では、例えば、出力条件の再設定画面に表示されるプレビュー表示範囲追加キーが押下されたか否か判定する。押下されていない場合（ＮＯの場合）は、ステップＳ１８へ進み、押下された場合（ＹＥＳの場合）、すなわち、プレビュー表示範囲の追加指示を受けた場合、追加範囲の設定画面を表示して当該範囲を設定させた後、設定された追加範囲をプレビュー表示範囲記憶部１９ａ´に記憶する（ステップＳ３７）。そして、その後、ステップＳ３５，Ｓ１０を繰り返し、追加された範囲についてもプレビュー画像を生成し、部分プレビュー表示を再開する。
【００７９】
また、図６の部分プレビュー表示画面のＧＵＩ画像５１のコピー開始キー６３が押下された場合（ステップＳ１８、ＹＥＳの場合）は、原稿全体について、出力条件記憶部１９ｂを参照し、印刷条件に基づく印刷用画像処理を画像処理部１６´で実行し、記録部１２がその印刷用画像処理後の画像データに基づき印刷することにより、原稿全体について印刷する（ステップＳ３８）。
【００８０】
なお、ＭＦＰ１´について、部分プレビュー表示開始後にユーザから出力指示を受けた場合に原稿の全体について出力する例で説明したが、同様に出力指示を受けた場合に、原稿のうち設定されたプレビュー表示範囲の部分の画像データのみを出力するようにしてもよい。
このように原稿のうち設定された範囲の部分のもののみを出力するには、図１０のステップＳ１８において、図６の部分プレビュー表示画面のＧＵＩ画像５１のコピー開始キー６３が押下されたと判定された場合（ＹＥＳ）に、ステップＳ３８に代えて、例えば、プレビュー表示範囲記憶部１９ａ´を参照し、画像記憶部１５から原稿の画像データのうち印刷対象（すなわちプレビュー表示範囲のもの）を抽出し、当該画像データに対して、出力条件記憶部１９ｂを参照し、印刷条件に基づく印刷用画像処理を画像処理部１６´で実行するようにすればよい。
【００８１】
また、ＭＦＰ１´においても、第１実施形態のものと同様に、部分プレビュー表示した部分の一部または全部について、原稿の他の部分の印刷条件とは異なる印刷条件にできるようにするとよい。
【００８２】
なお、以上では、第１及び第２実施形態の画像データ出力装置について、印刷出力の例で説明したが、出力形態はこれに限られず、電子ファイリング用の出力やＦＡＸ送信等の送信出力も行うことができる。
【図面の簡単な説明】
【００８３】
【図１】本発明の一実施形態に係る画像データ出力装置の構成例を示す概略ブロック図である。
【図２】図１のＭＦＰにおけるタッチパネル及びキー操作部の一例を示す外観図である。
【図３】図１及び図２で説明したＭＦＰの標準画面の例を示す図である。
【図４】図１及び図２で説明したＭＦＰのプレビューを開始する際の原稿読取開始時に表示される画面の例を示す図である。
【図５】図１及び図２で説明したＭＦＰの原稿読取範囲を設定する画面の例を示す図である。
【図６】図１及び図２で説明したＭＦＰの部分プレビュー表示時に表示される画面の例を示す図である。
【図７】図１及び図２で説明したＭＦＰの再設定画面の例を示す図である。
【図８】図１及び図２で説明したＭＦＰの、追加読取を行うときに表示される画面の例を示す図である。
【図９】図１及び図２のＭＦＰのプレビュー表示及び印刷処理を実行する手順の一例を説明するためのフロー図である。
【図１０】図１及び図２のＭＦＰのプレビュー表示及び印刷処理を実行する手順の一例を説明するためのフロー図である。
【図１１】図１及び図２のＭＦＰのプレビュー表示及び印刷処理を実行する手順の他の例を説明するためのフロー図である。
【図１２】本発明の他の実施形態に係る画像データ出力装置の構成例を示す概略ブロック図である。
【図１３】図１２のＭＦＰのプレビュー表示及び印刷処理を実行する手順の一例を説明するためのフロー図である。
【図１４】図１２のＭＦＰのプレビュー表示及び印刷処理を実行する手順の一例を説明するためのフロー図である。
【符号の説明】
【００８４】
１，１´…ＭＦＰ、１０…タッチパネル、１１…パネル制御部、１２…記録部、１３，１３´…読取部、１３ａ…自動原稿搬送部、１４…フォーマット変換部、１５…画像記憶部、１６，１６´…画像処理部、１６ａ，１６ａ´…プレビュー画像生成部、１７…符号化／復号部、１８…メイン制御部、１９，１９´…制御用メモリ、１９ａ…読取範囲記憶部、１９ａ´…プレビュー表示範囲記憶部、１９ｂ…出力条件記憶部、２０…キー操作部、２０ａ…スタートキー、２０ｂ…テンキー、２１…ＬＡＮ制御部、２２…制御用バッファ、２３…ＮＣＵ、２４…モデム、３０…操作パネル。
【図１】
2010093661.tif 000003
【図２】
2010093661.tif 000004
【図３】
2010093661.tif 000005
【図４】
2010093661.tif 000006
【図５】
2010093661.tif 000007
【図６】
2010093661.tif 000008
【図７】
2010093661.tif 000009
【図８】
2010093661.tif 000010
【図９】
2010093661.tif 000011
【図１０】
2010093661.tif 000012
【図１１】
2010093661.tif 000013
【図１２】
2010093661.tif 000014
【図１３】
2010093661.tif 000015
【図１４】
2010093661.tif 000016